(57)【要約】【課題】ガイド板や装置本体上面の損傷を抑止し得るようにした上で、原稿画像を常に適正に読み取ることができるようにする。【解決手段】原稿自動読取用ガラス１５１ｂを通過した自給原稿Ｐ２を掬い上げる原稿掬い上げ機構５０を有し、原稿掬い上げ機構５０は、原稿自動読取用ガラス１５１ｂに向けて先端縁部が先下がりに傾斜した傾斜板５１２を有し、かつ、原稿自動読取用ガラス１５１ｂに対する傾斜板５１２の先端縁部の高さレベルを略一定に維持するように変位する掬い上げ部材５１を備え、この掬い上げ部材５１は、変位しても傾斜板５１２の下流端がガイド面を隠さないように寸法設定されている。【選択図】図５
2008297071.tif 000002
【特許請求の範囲】
【請求項１】
原稿読取面に原稿を供給する原稿自動供給装置であって、
前記原稿読取面へ向けて原稿を送り込む第１搬送機構と、
前記原稿読取面を通過した原稿を掬い上げる原稿掬い上げ機構と、
前記原稿掬い上げ機構によって掬い上げられた原稿を下流側へ向けて搬送する搬送ローラ対と、
前記搬送ローラ対により搬送された原稿を外部へ排出する第２搬送機構とを備え、
前記第１搬送機構、原稿掬い上げ機構、搬送ローラ対および第２搬送機構が装備され、前記原稿読取面に対して開閉可能な筐体とを有し、
前記原稿掬い上げ機構は、前記筐体が閉止された状態で前記原稿読取面に向けて先端縁部が先下がりに傾斜し、かつ、前記原稿読取面に対する先端縁部の高さレベルを略一定に維持するように変位する可動傾斜面を備えた可動部材と、前記可動傾斜面の下流側に連設されて原稿を前記搬送ローラ対のニップ部へ案内する固定傾斜面を備えた固定部材とを備えていることを特徴とする原稿自動搬送装置。
【請求項２】
前記固定部材は、前記可動部材の下流側に位置するように前記筐体の所定のフレームに固定されたハウジングを有し、前記固定傾斜面は前記ハウジングに形成され、前記搬送ローラ対の一方の搬送ローラは、周面を外部に突出させた状態で前記ハウジング内に設けられていることを特徴とする請求項１記載の原稿自動搬送装置。
【請求項３】
前記ハウジングの下流側の面は、前記第２搬送機構の一部を形成することを特徴とする請求項２記載の原稿自動搬送装置。
【請求項４】
原稿読取面としてのコンタクトガラスを備えた装置本体と、前記コンタクトガラスへ原稿を自動供給する請求項１乃至３のいずれかに記載の原稿自動供給装置とを備えてなることを特徴とする画像形成装置。
【発明の詳細な説明】
【技術分野】
【０００１】
本発明は、原稿画像を読み取るべく原稿読取面へ向けて原稿を自動的に送り込むように構成された原稿自動供給装置およびこの装置を備えた画像形成装置に関するものである。
【背景技術】
【０００２】
従来、特許文献１に開示されているような原稿自動供給装置が知られている。この原稿自動供給装置は、複写機やファクシミリ装置等の原稿から画像を読み取るように構成された画像形成装置に適用されるものであり、画像形成装置本体の上面に設けられたプラテン（コンタクトガラス）を開閉自在に覆う筐体と、この筐体の上方に設けられた原稿束を載置する原稿トレイと、この原稿トレイから原稿の１枚ずつを繰り出させてコンタクトガラス上に導く原稿供給機構と、この原稿供給機構によってコンタクトガラス上に供給され、光学系ユニットによる光学的な読み取り処理で原稿面の画像が読み取られた原稿を受ける排紙トレイとを備えている。排紙トレイは、筐体における原稿トレイの下部に対向配置されている。
【０００３】
前記筐体には、コンタクトガラス上を通過する原稿をコンタクトガラスへ押圧して当該原稿の浮き上がりを規制する規制部材が設けられている。また、規制部材の下面にマイラーシートが取り付けられている。コンタクトガラスの下流側には、原稿を排紙トレイへ導くための先上がりの傾斜面を有する、掬い上げ部材およびガイド板が順次設けられている。マイラーシートは、ガイド板の上面にまで延設されている。
【０００４】
従って、コンタクトガラスと、マイラーシートを介して規制部材とに挟持された状態でコンタクトガラス上を通過した原稿は、まず掬い上げ部材とマイラーシートとの間を通過し、引き続きマイラーシートとガイド板とに挟持された状態でこれらの間を進行して排紙トレイに排紙される。ガイド板の上流端は、掬い上げ部材の傾斜面の下流端より低位に位置設定され、これによって掬い上げ部材を通過した原稿は、ガイド板の上面に確実に案内される。
【０００５】
特許文献１には、規制部材の下面にマイラーシートを配置することにより、コンタクトガラス上で原稿がばたつくような不都合の発生が防止され、原稿搬送スピードが一定になって原稿の搬送状態が安定化するため、読み取り画像の歪みが防止されると記載されている。
【特許文献１】特開２００３−８７５１０号公報
【発明の開示】
【発明が解決しようとする課題】
【０００６】
ところで、コンタクトガラスを開閉自在に覆う筐体は、通常、装置本体に対して蝶番回りに正逆回動して開閉し得るように取り付けられている。蝶番には筐体の開放動作が容易になるように板ばね等の付勢手段が設けられ、この付勢手段の付勢力で筐体が開放する方向に向けて付勢されているのが一般的である。しかし、付勢手段の付勢力の変動や異物の噛み込み等によって、筐体のコンタクトガラスへの対向状態が変動することがある。
【０００７】
かかる観点で上記特許文献の原稿自動供給装置を見てみると、原稿を掬い上げるガイド板が筐体に固定されているため、筐体のコンタクトガラスに対する対向状態の変動に対応することができない。このため、ガイド板が浮き気味にコンタクトガラスに対向すると、原稿が浮き上がったガイド板の先端縁部と衝突することがある。さらには、原稿がガイド板とコンタクトガラスとの間の隙間に潜り込んでしまい、これによって原稿を適正に搬送し得なくなるという問題点を有している。
【０００８】
逆に、筐体が正規の位置より沈み気味である場合には、筐体を閉止したときにガイド板が装置本体の上面と衝突し、これによってガイド板あるいは装置本体の上面が損傷することがあるという問題点を有している。
【０００９】
かかる不都合を解消させるべく、ガイド板を可動にし、当該ガイド板が動くことで装置本体の上面との衝突の衝撃を吸収することが考えられる。しかし、このようにすると、このガイド板が動くことにより原稿の搬送姿勢が変化し、これによって原稿画像が正確に読み取れなくなるという新たな問題点が提起される。
【００１０】
本発明は、かかる問題点を解消するべくなされたものであり、ガイド板や装置本体上面の損傷を抑止し得るようにした上で、原稿画像を常に適正に読み取ることができる原稿自動供給装置およびこれを備えた画像形成装置を提供することを目的としている。
【課題を解決するための手段】
【００１１】
請求項１記載の発明（原稿自動搬送装置）は、原稿読取面に原稿を供給する原稿自動供給装置であって、前記原稿読取面へ向けて原稿を送り込む第１搬送機構と、前記原稿読取面を通過した原稿を掬い上げる原稿掬い上げ機構と、前記原稿掬い上げ機構によって掬い上げられた原稿を下流側へ向けて搬送する搬送ローラ対と、前記搬送ローラ対により搬送された原稿を外部へ排出する第２搬送機構とを備え、前記第１搬送機構、原稿掬い上げ機構、搬送ローラ対および第２搬送機構が装備され、前記原稿読取面に対して開閉可能な筐体とを有し、前記原稿掬い上げ機構は、前記筐体が閉止された状態で前記原稿読取面に向けて先端縁部が先下がりに傾斜し、かつ、前記原稿読取面に対する先端縁部の高さレベルを略一定に維持するように変位する可動傾斜面を備えた可動部材と、前記可動傾斜面の下流側に連設されて原稿を前記搬送ローラ対のニップ部へ案内する固定傾斜面を備えた固定部材とを備えていることを特徴とするものである。
【００１２】
かかる構成によれば、何らかの要因により（例えば、当該原稿自動搬送装置が装着される画像形成装置の上面に形成されたコンタクトガラス上に載置される自動搬送されない載置原稿の取り忘れにより）、当該載置原稿との干渉で筐体を完全に閉止することがでず、筐体が浮き上がった状態になっているときでも、原稿掬い上げ機構の可動部材は、その可動傾斜面の下端部が原稿読取面またはその近傍に当接するように変位する。これによって筐体の浮き上がりが吸収されるため、原稿自動搬送装置において、原稿掬い上げ機構が正常に機能する状態を確保することができる。
【００１３】
また、筐体の原稿読取面に対する接面状態が設計誤差や施工誤差さらには異物の噛み込み等によって変動し、これにより筐体が正規の状態で原稿読取面に対向しなかった場合にも当該誤差などが可動部材の変位で吸収される。
【００１４】
そして、筐体が閉止された状態において、第１搬送機構から原稿読取面に向けて送り込まれた原稿は、原稿読取面で原稿画像が読み取られた後、原稿掬い上げ機構の可動部材の可動傾斜面に沿って掬い上げられ、引き続き筐体と一体の固定部材の固定傾斜面を介して搬送ローラ対のニップ部へ向かわされ、以後、搬送ローラ対のニップ部を介し第２搬送機構を通って外部へ排出される。
【００１５】
そして、原稿読取面を通過して搬送ローラ対のニップ部へ向かう原稿は、その先端が一旦可動部材の可動傾斜面に到達した後に、たとえ可動部材がどのように動いて姿勢変更していても、当該可動傾斜面に案内されつつ変位することのない固定部材の固定傾斜面に案内されてニップ部へ向かうことになる。従って、この固定傾斜面に案内されて搬送される原稿の先端は、常に同一の角度で搬送ローラ対のニップ部へ向かうことになるため、たとえ可動部材が正規の位置から変位しても、ニップ部で搬送ローラ対に挟持される原稿は、常にその姿勢が安定し、結果として原稿読取面において原稿画像が振れのない状態で正確に読み取られる。
【００１６】
請求項２記載の発明は、請求項１記載の発明において、前記固定部材は、前記可動部材の下流側に位置するように前記筐体の所定のフレームに固定されたハウジングを有し、前記固定傾斜面は前記ハウジングに形成され、前記搬送ローラ対の一方の搬送ローラは、周面を外部に突出させた状態で前記ハウジング内に設けられていることを特徴とするものである。
【００１７】
かかる構成によれば、固定傾斜面を備えたハウジングを筐体のフレームに設け、このハウジング内に搬送ローラ対の一方の搬送ローラを設けることで、搬送ローラ対のニップ部と固定傾斜面との間の適正な位置関係が容易に設定され、原稿の固定傾斜面を介したニップ部への侵入角度が常に安定したものになる。
【００１８】
請求項３記載の発明は、請求項２記載の発明において、前記ハウジングの下流側の面は、前記第２搬送機構の一部を形成することを特徴とするものである。
【００１９】
かかる構成によれば、ハウジングは、その上流側の面を掬い上げ機構の一翼を担う部材とした上で、下流側の面を第２搬送機構の構成要素として利用されるため、部品点数の低減化に貢献する。
【００２０】
請求項４記載の発明（画像形成装置）は、原稿読取面としてのコンタクトガラスを備えた装置本体と、前記コンタクトガラスへ原稿を自動供給する請求項１乃至３のいずれかに記載の原稿自動供給装置とを備えてなることを特徴とするものである。
【００２１】
かかる構成によれば、画像形成装置は、請求項１記載の原稿自動搬送装置の備えた作用効果を享受し得るものになる。
【発明の効果】
【００２２】
本発明に係る原稿自動搬送装置によれば、原稿画像が読み取られた後の原稿は、可動部材の可動傾斜面により掬い上げられた後にその先端が必ず固定傾斜面に案内されて常に同一の角度で搬送ローラ対のニップ部へ向かうことになる。従って、ニップ部で搬送ローラ対に挟持される原稿は、常にその姿勢が安定し、結果として原稿読取面を搬送されつつある原稿の画像を振れのない正確な状態で読み取ることができる。
【発明を実施するための最良の形態】
【００２３】
図１は、本発明の一実施形態に係る原稿自動供給装置が適用された画像形成装置の内部構造の概要を説明するための説明図である。本実施形態においては、複写機を画像形成装置１０の一例として挙げている。
【００２４】
画像形成装置１０は、箱形の装置本体１１の下部に配設された給紙部１２と、この給紙部１２の上方に配設された画像形成部１３と、この画像形成部１３の図１における左方に配設された定着部１４と、装置本体１１の上部に配設された画像読取部１５と、前記給紙部１２から画像形成部１３および定着部１４を経て用紙排出に至る用紙搬送部１６とを備えた基本構成を有している。
【００２５】
給紙部１２は、給紙カセット１２１に積層載置された用紙束から用紙Ｐの１枚ずつを用紙搬送部１６へ給紙する。用紙搬送部１６は、給紙部１２から給紙された用紙Ｐを、搬送ローラ対１６１を介しレジストローラ対１６２によって画像形成部１３に向けて搬送する。さらに用紙搬送部１６は、用紙Ｐを画像形成部１３および定着部１４を通過させた後、排出ローラ対１６３の駆動により装置本体１１の外壁に設けられた排出トレイ１６４へ向けて排出する。
【００２６】
画像形成部１３は、電子写真プロセスによって用紙Ｐに所定のトナー像を転写するものである。画像形成部１３は、軸心回りに回転可能な感光体ドラム１３１と、この感光体ドラム１３１の周囲にその回転方向に沿って配設された、帯電ユニット１３２、露光ユニット１３３、現像ユニット１３４、転写ユニット１３５、クリーナー１３６および除電ユニット１３７とを備えている。
【００２７】
帯電ユニット１３２は、コロナ放電によって感光体ドラム１３１の表面に所定電位を与える。露光ユニット１３３は、画像読取部１５によって読み取られた原稿の画像データに基づいてレーザー光を感光体ドラム１３１に照射することにより、感光体ドラム１３１表面の電位を選択的に減衰させて、この感光体ドラム１３１の表面に静電潜像を形成する。現像ユニット１３４は、前記静電潜像をトナーにより現像して、感光体ドラム１３１の表面にトナー像を形成する。転写ユニット１３５は、感光体ドラム１３１の表面のトナー像を用紙Ｐに転写する。クリーナー１３６は、転写後の感光体ドラム１３１の表面に残留しているトナー取り除いて清浄化処理する。除電ユニット１３７は、感光体ドラム１３１の表面の残留電荷を除去する。
【００２８】
定着部１４は、画像形成部１３で用紙Ｐに転写されたトナーを用紙Ｐへ定着させる処理を施すものである。定着部１４は、画像形成部１３の用紙搬送方向の下流側に配置された定着ユニット１４１と、この定着ユニット１４１の下流側に配設されて定着ユニット１４１から排出された用紙Ｐを排出ローラ対１６３へ向けて案内するカバーユニット１４５とを備えている。定着ユニット１４１は、箱形を呈した定着装置本体１４２と、この定着装置本体１４２に軸心回りに回転可能に軸支されたヒートローラ１４３と、周面がこのヒートローラ１４３の周面に押圧当接された加圧ローラ１４４とを備えている。
【００２９】
画像形成部１３から搬送された用紙Ｐは、ヒートローラ１４３と加圧ローラ１４４との間のニップ部において両者に押圧挟持されながら、これらの回転によって搬送されつつヒートローラ１４３からの熱を得る。この熱で、トナー像の用紙Ｐへの定着処理が施される。その後、用紙Ｐは、カバーユニット１４５および排出ローラ対１６３を介して排出トレイ１６４へ向けて排出される。
【００３０】
本実施形態においては、レジストローラ対１６２、排出ローラ対１６３および定着部１４を含んだ主に用紙搬送部１６からなる、図１に二点鎖線で示した装置本体１１に対して挿脱可能な用紙搬送ユニット１７が設けられている。かかる用紙搬送ユニット１７が装置本体１１に対して挿脱可能に設けられるのは、用紙搬送ユニット１７を装置本体１１から引き出すことによって紙詰まりの解消や各種のメンテナンス作業を容易に行い得るようにするためである。
【００３１】
画像読取部１５は、装置本体１１の頂部の矩形状を呈する開口に嵌め込まれたコンタクトガラス（原稿読取面）１５１と、このコンタクトガラス１５１上の原稿Ｐ０（載置原稿Ｐ１または自動給紙原稿（以下自給原稿Ｐ２という））の原稿画像を読み取る光学系ユニット１５２と、原稿トレイ３２に装填された自給原稿Ｐ２の束（原稿束Ｐ３）から１枚ずつの自給原稿Ｐ２を繰り出させて原稿自動読取用ガラス１５１ｂへ導く原稿自動供給装置２０とを備えて構成されている。
【００３２】
光学系ユニット１５２は、図略の光源からの光を、コンタクトガラス１５１を介して原稿Ｐ０の原稿面に照射し、その反射光を、所定のミラーを介して光電変換部に設けられたＣＣＤ（ｃｈａｒｇｅ  ｃｏｕｐｌｅｄ  ｄｅｖｉｃｅ）へ導くことによって、原稿の画像情報を読み取るものである。ＣＣＤによって読み取られた画像情報は、デジタル信号に変換された後に、露光ユニット１３３へ伝送される。
【００３３】
図２は、図１に示す画像形成装置１０の外観を示す斜視図であり、図２（Ａ）は、原稿自動供給装置２０がコンタクトガラス１５１に被さって閉止する閉止姿勢Ｓ１に姿勢設定された状態、図２（Ｂ）は、原稿自動供給装置２０がコンタクトガラス１５１を開放した開放姿勢Ｓ２に姿勢設定された状態をそれぞれ示している。因みに、図２においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。  
【００３４】
図２（Ａ）に示すように、画像形成装置１０は、縦長の直方体状を呈した装置本体１１の下部に複数の給紙カセット１２１を備えた給紙部１２が設けられている。各給紙カセット１２１は、前方に向けて引き出し可能になっている。また、装置本体１１の天板１１２の前方位置には、テンキーや液晶を有する表示板、さらには各種の操作キー等を備えた操作パネル１１１が設けられている。天板１１２には、コンタクトガラス１５１（図１）を覆うように開閉可能な原稿自動供給装置２０が設けられている。
【００３５】
装置本体１１における前面の給紙部１２より上方位置には、開閉可能な前面蓋体１８が設けられている。この前面蓋体１８は、図２（Ａ）、図２（Ｂ）に示すように普段は閉止されているが、紙詰りの解消作業時や各種のメンテナンス作業時には、左右のいずれかの方向または下方に向けて開放される。
【００３６】
コンタクトガラス１５１は、図２（Ｂ）に示すように、装置本体１１の頂面の中央部に設けられた大きな矩形状を呈する原稿載置用ガラス１５１ａと、この原稿載置用ガラス１５１ａの左方に隣接して設けられた前後方向に長尺の原稿自動読取用ガラス（原稿読取面）１５１ｂとからなる。原稿載置用ガラス１５１ａには、主にブック原稿などの厚手の原稿Ｐ０（載置原稿Ｐ１）が、その原稿面を下にして載置される。原稿自動供給装置２０が開放姿勢Ｓ２に姿勢設定された状態で、載置原稿Ｐ１が原稿載置用ガラス１５１ａ上に載置され（図２（Ｂ））、原稿自動供給装置２０が閉止姿勢Ｓ１（図２（Ａ））に姿勢変更された状態で前記光学系ユニット１５２（図１）による走査によって載置原稿Ｐ１の原稿画像が読み取られる。
【００３７】
これに対し、原稿自動読取用ガラス１５１ｂは、原稿自動供給装置２０から自動給紙された原稿Ｐ０（自給原稿Ｐ２）が通過させられる。自給原稿Ｐ２が原稿自動読取用ガラス１５１ｂを通過中に、その原稿面の原稿画像が、光学系ユニット１５２によって読み取られる。なお、原稿載置用ガラス１５１ａには、ブック原稿等の厚手の原稿Ｐ０が載置されることに限らず、枚葉紙からなる１枚の原稿も載置され得る。
【００３８】
原稿自動供給装置２０は、筐体３０、原稿送り込み機構（第１搬送機構）４０および原稿掬い上げ機構５０を備えて構成されている。筐体３０は、装置本体１１の天板１１２の後縁部に設けられた左右方向一対の蝶番１９回りに正逆回動する。原稿送り込み機構４０は、筐体３０に内装されている。原稿掬い上げ機構５０は、原稿送り込み機構４０によって原稿自動読取用ガラス１５１ｂへ送り込まれた自給原稿Ｐ２を、ガラス１５１ｂよりも下流側において掬い上げる。
【００３９】
筐体３０は、コンタクトガラス１５１より若干広く面積設定された矩形状の底板３１上に原稿束Ｐ３を載置する原稿トレイ３２と、原稿送り込み機構４０が収容される収容部３３と、原稿画像が読み取られた後の自給原稿Ｐ２が排出される排出トレイ３４とを含む。
【００４０】
収容部３３は、底板３１の中央部より左寄りの位置に設けられている。原稿トレイ３２は、この収容部３３の右面上部から右方に向けて突設されている一方、排出トレイ３４は、収容部３３の右面下部から右方に向けて延設されている。原稿自動供給装置２０が閉止姿勢Ｓ１に姿勢設定された状態で、原稿トレイ３２から給紙され、画像情報が読み取られた自給原稿Ｐ２は、排出トレイ３４へ向けて排出される。
【００４１】
図３は、原稿自動供給装置２０の一実施形態を示す正面断面図である。以下、図３を基に原稿自動供給装置２０の構成要素である原稿送り込み機構４０について説明する。なお、図３におけるＸによる方向表示は、図２の場合と同様（−Ｘ：左方、＋Ｘ：右方）である。
【００４２】
図３に示すように、原稿送り込み機構４０は、ピックアップローラ（第１搬送機構の一部）４１、送り込みベルト４２、分離ローラ４３、レジストローラ対４４、大径搬送ローラ（第１搬送機構の一部）４５および読取前ローラ４６を含む。
【００４３】
ピックアップローラ４１は、原稿トレイ３２上に載置された原稿束Ｐ３から自給原稿Ｐ２を１枚ずつ繰り出させる。送り込みベルト４２は、ピックアップローラ４１の直下流側（左方側）に設けられている。分離ローラ４３は、送り込みベルト４２の直下に当接状態で従動可能に設けられている。レジストローラ対４４は、これら送り込みベルト４２および送り込みローラと４３の下流側に設けられている。大径搬送ローラ４５は、レジストローラ対４４の斜め下左方位置に設けられた大輪のローラである。読取前ローラ４６は、大径搬送ローラ４５の左方下部位置で周面が当該大径搬送ローラ４５の周面と押圧当接するように設けられた小輪のローラである。
【００４４】
送り込みベルト４２は、ピックアップローラ４１の直下流側に設けられた駆動ローラ４２１と、下流側でこの駆動ローラ４２１と対向配置された従動ローラ４２２との間に張設されている。送り込みベルト４２は、駆動ローラ４２１の駆動回転によって、駆動ローラ４２１および従動ローラ４２２間を時計方向に向けて周回する。
【００４５】
筐体３０の収容部３３内には、これらピックアップローラ４１，送り込みベルト４２、送り込みローラと４３、レジストローラ対４４および大径搬送ローラ４５に沿って原稿搬送路４５１が形成されている。ピックアップローラ４１がピックアップして原稿束Ｐ３から繰り出させた自給原稿Ｐ２は、この原稿搬送路４５１を通って停止した状態のレジストローラ対４４とのニップ部へ向けて搬送される。
【００４６】
レジストローラ対４４は、自給原稿Ｐ２の読取タイミングを取るため、および自給原稿Ｐ２の斜め搬送を補正するためのものである。また、読取前ローラ４６の位置に図略のタイミングセンサが設けられ、このタイミングセンサの検出結果に基づき読取タイミングを図るようになっている。そして、自給原稿Ｐ２は、原稿自動読取用ガラス１５１ｂを通過するときに、その原稿面の原稿情報が読み取られる。
【００４７】
光学系ユニット１５２によって原稿面の原稿情報が読み取られた自給原稿Ｐ２は、その後原稿掬い上げ機構５０によって掬い上げられ、読取ローラ４７および搬送ローラ対４８を介し、駆動回転している排出ローラ対４９によって排出トレイ３４へ排出される。
【００４８】
前記読取ローラ４７は、その直上位置に配設されたＣＩＳ（Ｃｏｎｔａｃｔ  ｉｍａｇｅ  ｓｅｎｓｏｒ：接触式画像読取センサ）４７０に対向配置されるものであり、周面が白色とされている。かかる読取ローラ４７およびＣＩＳ４７０は、自給原稿Ｐ２の裏面側の原稿画像を読み取るときにその機能が発揮されるものである。
【００４９】
すなわち、自給原稿Ｐ２の表裏面の原稿画像を同時に読み取るように指令信号が入力されているとき、これら読取ローラ４７およびＣＩＳ４７０が機能するようになっている。そして、このとき読取ローラ４７により搬送されつつある自給原稿Ｐ２の裏面側の原稿画像がＣＩＳ４７０により読み取られることになる。
【００５０】
原稿掬い上げ機構５０は、筐体３０の収容部３３内における大径搬送ローラ４５の斜め右下位置に設けられている。以下、図４〜図６を基に、必要に応じて図１〜図３を参照しながら原稿掬い上げ機構５０について説明する。図４は、原稿掬い上げ機構５０の一実施形態を示す外観視の斜視図であり、図５は、その一部切欠き拡大斜視図である。また、図６は、筐体３０の裏面側から原稿掬い上げ機構５０を見た斜視図である。なお、図４〜図６におけるＸおよびＹによる方向表示は図２の場合と同様（Ｘは左右方向（−Ｘ：左方、＋Ｘ：右方）、Ｙは前後方向（−Ｙ：前方、＋Ｙ：後方））である。
【００５１】
図４および図５に示すように、原稿掬い上げ機構５０は、原稿自動読取用ガラス１５１ｂの下流側端縁（右側端縁）に臨んで配設された掬い上げ部材（可動部材）５１と、この掬い上げ部材５１の水平方向への移動を規制した状態で当該掬い上げ部材５１の先端縁部（左端縁部）の昇降を許容する昇降許容部材５２と、掬い上げ部材５１によって掬い上げられた自給原稿Ｐ２を大径搬送ローラ４５とで挟持して搬出する搬出ローラ５３と備えている。これら搬出ローラ５３と大径搬送ローラ４５とで本発明に係る搬送ローラ対が形成されている。また、これら搬出ローラ５３と大径搬送ローラ４５と、前記読取ローラ４７、搬送ローラ対４８および排出ローラ対４９とで本発明に係る第２搬送機構が形成されている。
【００５２】
昇降許容部材５２は、本実施形態においては、図６に示すように、前後方向で一対が設けられているのに対し、搬出ローラ５３は、前後方向で５つ設けられている。これは昇降許容部材５２および搬出ローラ５３の配置の一例であり、状況に応じて適宜最適の個数が設定される。
【００５３】
掬い上げ部材５１は、平板５１１と、傾斜板（可動傾斜面）５１２とからなっている。平板５１１は、原稿載置用ガラス１５１ａと原稿自動読取用ガラス１５１ｂとの間の天板１１２と対向した状態で前後方向に延びている。傾斜板５１２は、平板５１１の左端縁から左方に向かって先上がりに傾斜し、左面に自給原稿Ｐ２を掬い上げる傾斜面５１２ａを備えている。
【００５４】
傾斜板５１２は、本実施形態においては、平板５１１に対する傾斜角度が略６０°に設定されている。この傾斜角度は、６０°に限定されるものではなく、状況に応じて適宜最適の角度が設定される。
【００５５】
昇降許容部材５２は、図５に示すように、ブラケット５２１、膨設部５２２およびボルト（支点）５２３を備えている。ブラケット５２１は、筐体３０内において原稿載置用ガラス１５１ａの左縁部と対向する位置に、当該筐体３０と一体に設けられた所定のフレーム３５から左方に向かって突設されている。膨設部５２２は、ブラケット５２１に対応するように掬い上げ部材５１の平板５１１から押し起こし状態で、上方に向けて膨設されている。ボルト５２３は、膨設部５２２の天井５２２ａに穿設された楕円孔５２２ｂに下から貫通された状態で、その先端がブラケット５２１に固定されている。楕円孔５２２ｂは、長径が左右方向に延びるように方向設定されている。
【００５６】
ボルト５２３は、径寸法が楕円孔５２２ｂの短径寸法より僅かに小さく設定され、ボルト５２３が楕円孔５２２ｂに貫通された状態で前後方向への移動が規制される一方、左右方向に延びる垂直面に沿い頭部５２３ａの適所を支点Ｔとして揺動し得るようになっている。
【００５７】
搬出ローラ５３は、フレーム３５から左方に向けて突設されたハウジング（固定部材）３６内に装着されている。このハウジング３６は、−Ｙ方向から見た正面視で略三角形状（正確には三角形の斜辺部分が折れ曲がった四角形状）を呈した前後方向一対の側板３６１と、各側板３６１の上縁部間に架設された左方へ向かって先下がりの緩慢傾斜面３６２と、この緩慢傾斜面３６２の左縁部からさらに左方に向けって延設された急峻傾斜面３６３とを備えている。
【００５８】
緩慢傾斜面３６２は、水平面に対して１０°〜２０°の緩やかな傾斜に設定されているのに対し、急峻傾斜面３６３は、掬い上げ部材５１の傾斜板５１２と略同一の略６０°に設定されている。そして、特に急峻傾斜面３６３は、その略上半分が傾斜板５１２の上縁部から上方に突出している。従って、原稿自動読取用ガラス１５１ｂを通った自給原稿Ｐ２は、図７に示すように、一旦その先端が傾斜板５１２に案内された後に急峻傾斜面３６３と、緩慢傾斜面３６２との境界部分に設定されたガイド面（固定傾斜面）３６５に沿い、以後、このガイド面３６５に案内されつつ搬出ローラ５３と大径搬送ローラ４５とのニップ部Ｎへ向かうことになる。
【００５９】
また、緩慢傾斜面３６２には、搬出ローラ５３と対向した部分に角窓３６４が開口され、搬出ローラ５３は、周面の一部がこの角窓３６４から外部に突出している。本実施形態では、角窓３６４は、図４に示すように、搬出ローラ５３に対応して合計で５つが設けられている。
【００６０】
また、各側板３６１の略中央部間には支持軸５３２が架設されているとともに、この支持軸５３２に二股状のローラ支持アーム５３３が回動可能に装着されている。かかるローラ支持アーム５３３の左端部に搬出ローラ５３のローラ軸５３１が装着され、これによって搬出ローラ５３はローラ支持アーム５３３の左端部でローラ軸５３１回りに回転可能になっている。
【００６１】
また、ハウジング３６内には、ローラ支持アーム５３３の支持軸５３２より右側の部分と緩慢傾斜面３６２との間に介設された圧縮コイルスプリング５３４が設けられている。この圧縮コイルスプリング５３４の付勢力で、搬出ローラ５３の周面が、大径搬送ローラ４５の周面に押圧当接している。従って、大径搬送ローラ４５が駆動回転すると、搬出ローラ５３はそれに伴って従動回転することになる。
【００６２】
一方、筐体３０の収容部３３内には、当該筐体３０が閉止姿勢Ｓ１に姿勢設定された状態で、原稿自動読取用ガラス１５１ｂより若干左方位置に自給原稿Ｐ２を当該ガラス１５１ｂへ向かわせる上流側ガイド板４７１が設けられている。また、原稿自動読取用ガラス１５１ｂの直上位置には、自給原稿Ｐ２を当該ガラス１５１ｂの上面へ対向させるための対向板４７２が設けられている。さらに、原稿自動読取用ガラス１５１ｂの直下流側には、当該ガラス１５１ｂを通過した自給原稿Ｐ２を掬い上げ部材５１へガイドするための下流側ガイド板４７３が設けられている。
【００６３】
下流側ガイド板４７３は、原稿自動読取用ガラス１５１ｂへ向かって先下がりに傾斜した原稿掬い上げ部４７３ａと、この原稿掬い上げ部４７３ａの下流端（右端）から下流側に向けて延設された前後方向に延びる平板部４７３ｂとからなっている。平板部４７３ｂは、原稿掬い上げ部４７３ａの下流端よりも低い位置に平面を提供する部材であり、平板部４７３ｂの左縁部と原稿掬い上げ部４７３ａの下流端との間には段差が形成されている。また、平板部４７３ｂは、その右縁部が掬い上げ部材５１の左縁部より右方に位置するように左右幅寸法が設定されている。
【００６４】
筐体３０が閉止姿勢Ｓ１（図２（Ａ））に姿勢設定された状態で、図５に示すように、傾斜板５１２の下縁部が平板部４７３ｂ上に載り、結果として掬い上げ部材５１の左端側が原稿掬い上げ部４７３ａの下流端よりも低い位置で当止される。これにより自給原稿Ｐ２は、その先端が傾斜板５１２の下縁部に引っ掛かることなく、円滑に搬送される。これら上流側ガイド板４７１、対向板４７２および下流側ガイド板４７３の存在で、自給原稿Ｐ２が確実に原稿自動読取用ガラス１５１ｂへ送り込まれた後に確実に掬い上げ部材５１へ向かわせられる。
【００６５】
前記対向板４７２は、筐体３０に設けられた図略のフレームに取り付けられ、付勢部材である例えば図略のコイルスバネの付勢力によって大径搬送ローラ４５から離間する方向に向けて付勢されている。従って、筐体３０が開かれた状態では、大径搬送ローラ４５から下方に向かって突出した状態になる。
【００６６】
そして、筐体３０が閉じられると、対向板４７２の前後方向の両端部から下方に向けて突設された図略の突起が原稿自動読取用ガラス１５１ｂに押圧当接し、これによって対向板４７２が、コイルスバネの付勢力に抗して大径搬送ローラ４５に近付くようになっている。因みに、前記突起の存在により、筐体３０が閉止された状態で原稿自動読取用ガラス１５１ｂの上面と対向板４７２の下面との間に自給原稿Ｐ２を通過させ得る隙間が形成される。
【００６７】
このように対向板４７２がコイルスバネで付勢されていることにより、筐体３０を閉じたとき対向板４７２が原稿自動読取用ガラス１５１ｂと衝突して原稿自動読取用ガラス１５１ｂあるいは対向板４７２が破損するような不都合の発生を有効に防止することができる。
【００６８】
以下、図７および図８を基に、必要に応じて図１〜図６を参照しながら原稿掬い上げ機構５０の作用について説明する。図７は、本実施形態に係る原稿掬い上げ機構５０の作用を説明するための説明図であり、図７（Ａ）は、掬い上げ部材５１の下流側ガイド板４７３に対する相対的な位置関係が正常な状態、図７（Ｂ）は、掬い上げ部材５１あるいは筐体３０が載置原稿の取り忘れや取り付け誤差等により正常な高さレベルより上位に位置した状態をそれぞれ示している。また、図８は、比較例に係る原稿掬い上げ機構５０′の作用を説明するための説明図であり、図８（Ａ）は、掬い上げ部材５１′の下流側ガイド板４７３に対する相対的な位置関係が正常な状態、図８（Ｂ）は、掬い上げ部材５１′あるいは筐体３０が載置原稿の取り忘れや取り付け誤差等により正常な高さレベルより上位に位置した状態をそれぞれ示している。なお、図７および図８におけるＸによる方向表示は、図３の場合と同様（−Ｘ：左方、＋Ｘ：右方）である。
【００６９】
まず、本実施形態においては、原稿掬い上げ機構５０の掬い上げ部材５１の傾斜板５１２（図７）は、比較例の傾斜板５１２′（図８）に比べて上下寸法が略半分と短く設定され、その上縁部からハウジング３６の急峻傾斜面３６３が連設されている。そして、原稿自動読取用ガラス１５１ｂと対向板４７２との隙間を通った自給原稿Ｐ２は、先端縁が一旦傾斜板５１２に到達した後に急峻傾斜面３６３に案内されて大径搬送ローラ４５と搬出ローラ５３とのニップ部Ｎへ向けて搬送される。
【００７０】
これに対し、比較例の原稿掬い上げ機構５０′においては、掬い上げ部材５１′の上端部が搬出ローラ５３の周面に直接対向している。すなわち、ハウジング３６′には本実施形態のような急峻傾斜面３６３が設けられておらず、従って、原稿自動読取用ガラス１５１ｂと対向板４７２との間の隙間を通った自給原稿Ｐ２は、傾斜板５１２′の上端縁を介して直接ニップ部Ｎへ向かうことになる。
【００７１】
このような、本実施形態と比較例との構成上の相違によって、本実施形態に係る原稿掬い上げ機構５０は、自給原稿Ｐ２の原稿画像を適正に読み取ることができるのに対し、比較例の原稿掬い上げ機構５０′は、原稿画像を適正に読み取ることが困難となっている。
【００７２】
すなわち、本実施形態に係る原稿掬い上げ機構５０にあっては、まず、図７（Ａ）に示すように、掬い上げ部材５１が正常な高さレベルに設定された状態では、原稿自動供給装置２０が閉止姿勢Ｓ１（図２（Ａ））に姿勢設定されることにより、掬い上げ部材５１の平板５１１は、下流側ガイド板４７３の平板部４７３ｂと平行で、かつ、右端部が平板部４７３ｂから距離ｄ０だけ離間した状態となる。この状態において、掬い上げ部材５１は、ボルト５２３を境にして、左側の方が重いことにより左端縁部が平板部４７３ｂの上面に当止している。
【００７３】
これに対し、例えば原稿載置用ガラス１５１ａに載置されていた載置原稿の取り忘れ等により、掬い上げ部材５１の高さレベルが正常な高さレベルより上位になってしまったような場合、比較例の原稿掬い上げ機構５０′では、筐体３０を閉止した状態で、図８（Ｂ）に示すように、掬い上げ部材５１′が左方に向かって先下がりに傾き、これによって傾斜板５１２′の上縁部とニップ部Ｎとの位置関係が正常な図８（Ａ）に示す場合と異なってしまってニップ部Ｎへ向かう進入角度が変化するため、結果として自給原稿Ｐ２の正確な読み取りが行い得なくなるという不都合の生じることがある。
【００７４】
しかしながら、本実施形態の原稿掬い上げ機構５０においては、搬出ローラ５３と大径搬送ローラ４５との間に形成されたニップ部Ｎと、掬い上げ部材５１の傾斜板５１２に上縁部との間に、ハウジング３６の急峻傾斜面３６３と緩慢傾斜面３６２との境界部分に形成されたガイド面３６５が設けられている。これにより原稿自動読取用ガラス１５１ｂを通過した自給原稿Ｐ２は、図７（Ｂ）に示すように、その先端が掬い上げ部材５１の傾斜板５１２に到達した後、当該傾斜板５１２に案内されつつ必ずガイド面３６５と摺接しながらニップ部Ｎへ向かう。
【００７５】
従って、自給原稿Ｐ２のニップ部Ｎへの入射角は、ガイド面３６５によって決定されることになる。そして、ガイド面３６５は筐体３０のフレーム３５に一体的に固定されているため、掬い上げ部材５１のように動くことはない。つまり、施行誤差等により掬い上げ部材５１の位置が正規の位置からずれていることにより筐体３０を閉じたときに掬い上げ部材５１が下流側ガイド板４７３と干渉して正規の姿勢と異なる姿勢になっていたとしても、掬い上げ部材５１の姿勢とは関わりなく自給原稿Ｐ２は、急峻傾斜面３６３を介し一定の入射角でニップ部Ｎに到達するため、この入射角が変動することで自給原稿Ｐ２の原稿画像が正確に読み取られなくなるような不都合が生じることがない。
【００７６】
以上詳述したように、本実施形態に係る原稿自動供給装置２０は、原稿自動読取用ガラス１５１ｂに自給原稿Ｐ２を供給するものであり、原稿自動読取用ガラス１５１ｂへ向けて自給原稿Ｐ２を送り込む原稿送り込み機構４０と、原稿自動読取用ガラス１５１ｂを通過した自給原稿Ｐ２を掬い上げる原稿掬い上げ機構５０とが装備されてなる、原稿自動読取用ガラス１５１ｂに対して開閉可能な筐体３０を有している。
【００７７】
そして、原稿掬い上げ機構５０は、原稿自動読取用ガラス１５１ｂに向けて先端縁部が先下がりに傾斜した傾斜板５１２を有し、かつ、原稿自動読取用ガラス１５１ｂに対する傾斜板５１２の先端縁部の高さレベルを略一定に維持するように変位する掬い上げ部材５１を備え、この掬い上げ部材５１は、変位してもその傾斜板５１２の下流端がハウジング３６のガイド面３６５に自給原稿Ｐ２の先端を受け渡すように寸法設定されている。
【００７８】
かかる構成によれば、筐体３０を閉止したとき、筐体３０の原稿自動読取用ガラス１５１ｂに対する対向状態が原稿載置用ガラス１５１ａに載置された載置原稿の取り忘れ等によって変動し、これにより筐体３０が正規の状態で原稿自動読取用ガラス１５１ｂに対向しなくなっていた場合であっても、原稿掬い上げ機構５０の掬い上げ部材５１は、その傾斜板５１２の下端部が原稿自動読取用ガラス１５１ｂに当接した後に支点Ｔ回りに回動し、これによって筐体３０の施工誤差等が吸収されるため、原稿掬い上げ機構５０が正常に機能する状態で筐体３０が閉止される。
【００７９】
筐体３０が閉止された状態において、原稿送り込み機構４０から原稿自動読取用ガラス１５１ｂに向けて送り込まれた自給原稿Ｐ２は、原稿自動読取用ガラス１５１ｂで原稿画像が読み取られた後、原稿掬い上げ機構５０の掬い上げ部材５１の傾斜板５１２に掬い上げられ、急峻傾斜面３６３のガイド面３６５に案内されたのち搬出ローラ５３と大径搬送ローラ４５とのニップ部Ｎを介して排出トレイ３４へ向けて搬送される。
【００８０】
そして、掬い上げ部材５１は、変位してもその傾斜板５１２が自給原稿Ｐ２をガイド面３６５へ向かわせるように寸法設定されているため、原稿自動読取用ガラス１５１ｂを通過して搬出ローラ５３と大径搬送ローラ４５とのニップ部Ｎへ向かう自給原稿Ｐ２は、その先端が一旦掬い上げ部材５１の傾斜板５１２に掬い上げられた後に、たとえ掬い上げ部材５１がどのように変位していても、その後先端が変位することのない筐体３０と一体のガイド面３６５に到達したのち当該ガイド面３６５に案内される。
【００８１】
従って、このガイド面３６５に案内されて搬送される自給原稿Ｐ２の先端は、常に同一の角度で搬出ローラ５３と大径搬送ローラ４５とのニップ部Ｎへ向かうことになるため、当該ニップ部Ｎで挟持される自給原稿Ｐ２は、常にその姿勢が安定し、結果として原稿自動読取用ガラス１５１ｂにおいて原稿画像を振れのない状態で正確に読み取ることができる。
【００８２】
また、掬い上げ部材５１は、傾斜板５１２が先下がりした状態で所定の支点Ｔ回りに回動可能に支持されているため、筐体３０を閉止していくことで必ず原稿自動読取用ガラス１５１ｂまたは原稿自動読取用ガラス１５１ｂと平行な面に当接して支点Ｔ回りに回動し、これによって、傾斜板５１２の先端縁部が常に原稿自動読取用ガラス１５１ｂに対し予め設定された同一高さレベルになる。従って、原稿自動読取用ガラス１５１ｂを通過した自給原稿Ｐ２は、掬い上げ部材５１の傾斜板５１２により確実に掬い上げられる。
【００８３】
また、掬い上げ部材５１が設計誤差や施工誤差により正確に位置設定された状態で取り付けられていない場合の不具合が、当該掬い上げ部材５１の支点Ｔ回りの回動動作で容易に確実に吸収されて解消される。
【００８４】
本発明は上記の実施形態に限定されるものではなく、以下の内容をも包含するものである。
【００８５】
（１）上記の実施形態においては、原稿自動供給装置２０が適用される画像形成装置１０として複写機を例示した。本発明は、これに限定されず、ファクシミリ装置やスキャナーにも適用できる。
【００８６】
（２）上記の実施形態においては、掬い上げ部材５１は、傾斜板５１２が設けられている先端側の自重によって、先端側がボルト５２３回りに下方に向かう力を受ける。こうする代わりに、例えばブラケット５２１と掬い上げ部材５１との間にコイルスプリングなどの所定の付勢手段を介設し、この付勢手段の付勢力で掬い上げ部材５１を先下がりになるように付勢してもよい。
【００８７】
（３）上記の実施形態においては、原稿掬い上げ機構５０がフレーム３５と一体の昇降許容部材５２のブラケット５２１に固定されたボルト５２３に吊持されることにより回動可能とされているが、こうする代わりに原稿掬い上げ機構５０をフレーム３５と一体の所定の回動軸回りに回動可能に軸支してもよい。
【００８８】
（４）上記の実施形態において、原稿掬い上げ機構５０を回動させるための支点Ｔを、掬い上げ部材５１の傾斜板５１２の上縁部よりさらに上方位置に設定してもよい。こうすることで原稿自動読取用ガラス１５１ｂと対向板４７２との隙間を通過した自給原稿Ｐ２の先端が傾斜板５１２に衝突したとき、当該傾斜板５１２を支点Ｔ回りに図７における反時計方向に向かわせるため、下流側ガイド板４７３の平板部４７３ｂに当止している傾斜板５１２がばたつくような不都合の発生を防止することができる。
【００８９】
図９は、傾斜板５１２をばたつかせないことに主眼をおいた他の実施形態に係る原稿掬い上げ機構５０″を示す正面断面視の説明図である。なお、図９におけるＸによる方向表示は、図７の場合と同様（−Ｘ：左方、＋Ｘ：右方）である。この実施形態においては、先の実施形態の昇降許容部材５２に代えてハウジング３６の緩慢傾斜面３６２の頂部から垂下されたブラケット５２′が採用され、掬い上げ部材５１′および搬出ローラ５３の双方がこのブラケット５２′に装着されている。
【００９０】
すなわち、掬い上げ部材５１″は、左右方向に長尺の前後方向（図９の紙面に直交する方向）一対の側板５１１′と、これら一対の側板５１１′の左縁部間に架設された傾斜板５１２と、各側板５１１′の右縁部から上方に向かってそれぞれ突設された一対の突設片５１３と、各突設片５１３の上部から互いに反対方向に向けてそれぞれ突設された一対の支点軸（支点）５１４とを備えている。傾斜板５１２は、先の実施形態と同様に原稿自動読取用ガラス１５１ｂを通過した自給原稿Ｐ２の先端を掬い上げるものであり、左方に向かって先下がりに傾斜している。
【００９１】
前記ブラケット５２′は、ハウジング３６の緩慢傾斜面３６２の天井の最上位の位置から垂下されている。前記支点軸５１４は、かかるブラケット５２′の下部に支持されている。支持アーム５３３を支持する支持軸５３２は、ブラケット５２′における支点軸５１４が設けられている位置より上位に支持されている。
【００９２】
また、ブラケット５２′の右縁部の下部には、掬い上げ部材５１″の突設片５１３と干渉するように突設された係止突片５２４が設けられている。この係止突片５２４は、掬い上げ部材５１″の後方の側板５１１′の右縁部を当止させるものである。この係止突片５２４により、原稿自動搬送装置２０が開放姿勢Ｓ２に姿勢設定されたときに掬い上げ部材５１″が自重で回動し過ぎるのが防止される。
【００９３】
前記搬出ローラ５３は、先の実施形態と同様に原稿自動読取用ガラス１５１ｂを通過した自給原稿Ｐ２を大径搬送ローラ４５との間のニップ部Ｎ２でニップしながら大径搬送ローラ４５の駆動回転により排出トレイ３４へ向けて送り出すものであり、二股状に形成された支持アーム５３３を介してブラケット５２′に装着されている。支持アーム５３３がコイルスプリング５３４の付勢力で支持軸５３２回りに時計方向に向けて付勢されている点については、先の実施形態と同様である。
【００９４】
この実施形態の原稿掬い上げ機構５０″によれば、掬い上げ部材５１″を回動自在に軸支する支点軸５１４が傾斜板５１２の上縁部よりさらに上方に位置設定されているため、自給原稿Ｐ２が原稿自動読取用ガラス１５１ｂと対向板４７２との間を通過してその先端が傾斜板５１２に到達した状態で、当該自給原稿Ｐ２の先端による傾斜板５１２に対する押圧力は、当該傾斜板５１２を支点軸５１４回りに反時計方向に向かわせるように作用するため、傾斜板５１２の下端縁部が下流側ガイド板４７３の平板部４７３ｂに当たった状態になる。
【００９５】
従って、自給原稿Ｐ２の先端が傾斜板５１２に当たることにより掬い上げ部材５１″をばたつかせて騒音が出るような不都合の発生を有効に防止することができる。
【００９６】
なお、図９には、前記対向板４７２を大径搬送ローラ４５から離間する方向に向けて付勢するコイルスバネ４７２ａを図示している。対向板４７２は、原稿自動搬送装置２０が開かれた状態でこのコイルスバネ４７２ａの付勢力により大径搬送ローラ４５から下方に向かって突出した状態になる一方、原稿自動搬送装置２０が閉じられた状態では、自給原稿Ｐ２が通過し得る隙間を介して原稿自動読取用ガラス１５１ｂと対向し得るようになされている。
【図面の簡単な説明】
【００９７】
【図１】本発明の実施形態に係る原稿自動供給装置が適用された画像形成装置の内部構造の概要を説明するための説明図である。
【図２】図１に示す画像形成装置の外観を示す斜視図であり、（Ａ）は、原稿自動供給装置がコンタクトガラスに被さって閉止する閉止姿勢に姿勢設定された状態、（Ｂ）は、原稿自動供給装置がコンタクトガラスを開放した開放姿勢に姿勢設定された状態をそれぞれ示している。
【図３】原稿自動供給装置の一実施形態を示す正面断面図である。
【図４】原稿掬い上げ機構の一実施形態を示す外観視の斜視図である。
【図５】図４の一部切欠き拡大斜視図である。
【図６】筐体の裏面側から原稿掬い上げ機構を見た斜視図である。
【図７】原稿掬い上げ機構の作用を説明するための説明図であり、（Ａ）は、掬い上げ部材の下流側ガイド板に対する相対的な位置関係が正常な状態、（Ｂ）は、掬い上げ部材あるいは筐体が取り付け誤差等により正常な高さレベルより下位に取り付けられた状態をそれぞれ示している。
【図８】比較例に係る原稿掬い上げ機構の作用を説明するための説明図であり、（Ａ）は、掬い上げ部材の下流側ガイド板に対する相対的な位置関係が正常な状態、（Ｂ）は、掬い上げ部材あるいは筐体が載置原稿の取り忘れや取り付け誤差等により正常な高さレベルより上位に位置した状態をそれぞれ示している。
【図９】他の実施形態に係る原稿掬い上げ機構を示す正面断面視の説明図である。
【符号の説明】
【００９８】
１０  画像形成装置          １１  装置本体
１１１  操作パネル          １１２  天板
１２  給紙部                １２１  給紙カセット
１３  画像形成部            １３１  感光体ドラム
１３２  帯電ユニット        １３３  露光ユニット
１３４  現像ユニット        １３５  転写ユニット
１３６  クリーナー          １３７  除電ユニット
１４  定着部                １４１  定着ユニット
１４２  定着装置本体        １４３  ヒートローラ
１４４  加圧ローラ          １４５  カバーユニット
１５  画像読取部            １５１  コンタクトガラス（原稿読取面）
１５１ａ  原稿載置用ガラス  １５１ｂ  原稿自動読取用ガラス
１５２  光学系ユニット      １６４  排出トレイ
１６  用紙搬送部            １６１  搬送ローラ対
１６２  レジストローラ対    １６３  排出ローラ対
１７  用紙搬送ユニット      １８  前面蓋体
１９  蝶番                  ２０  原稿自動供給装置
３０  筐体                  ３１  底板
３２  原稿トレイ            ３３  収容部
３４  排出トレイ            ３５  フレーム
３６  ハウジング（固定部材）
３６１  側板                ３６２  緩慢傾斜面
３６３  急峻傾斜面
３６４  角窓                ３６５  ガイド面（固定傾斜面）
４０  原稿送り込み機構（第１搬送機構）
４１  ピックアップローラ    ４２  送り込みベルト
４２１  駆動ローラ          ４２２  従動ローラ
４３  送り込みローラ        ４４  レジストローラ
４５  大径搬送ローラ        ４５１  原稿搬送路
４６  位置決めローラ        ４７  アイドルローラ
４７０  ＣＩＳ（Ｃｏｎｔａｃｔ  ｉｍａｇｅ  ｓｅｎｓｏｒ）
４７１  上流側ガイド板      ４７２  対向板
４７３  下流側ガイド板      ４７３ａ  原稿掬い上げ部
４７３ｂ  平板部            ４８  アイドルローラ対
４９  排出ローラ対          ５０，５０′，５０″  原稿掬い上げ機構
５１，５１′，５１″  掬い上げ部材（可動部材）
５１１  平板                ５１１′  側板
５１２，５１２′  傾斜板（可動傾斜面）
５１２ａ  傾斜面            ５２  昇降許容部材
５２１  ブラケット          ５２２  膨設部
５２２ａ  天井              ５２２ｂ  楕円孔
５２３  ボルト（支点）      ５２３ａ  頭部
５３  搬出ローラ            ５３１  ローラ軸
５３２  支持軸              ５３３  ローラ支持アーム
５３４  圧縮コイルスプリング
Ｎ  ニップ部                Ｐ  用紙
Ｐ０  原稿                  Ｐ１  載置原稿
Ｐ２  自給原稿              Ｐ３  原稿束
Ｓ１  閉止姿勢              Ｓ２  開放姿勢
Ｔ  支点
【図１】
2008297071.tif 000003
【図２】
2008297071.tif 000004
【図３】
2008297071.tif 000005
【図４】
2008297071.tif 000006
【図５】
2008297071.tif 000007
【図６】
2008297071.tif 000008
【図７】
2008297071.tif 000009
【図８】
2008297071.tif 000010
【図９】
2008297071.tif 000011